(57)【要約】【課題】  組立精度が高く、施工性の高い内装材用取付金具を提供する。【解決手段】  固定具で壁下地に固定され、かつ、前記壁下地と内装材とで挟持される金具本体１１と、前記金具本体１１の下端縁部から同一平面上に延在して形成され、かつ、前記壁下地と内装材とで挟持される少なくとも１つの延在片１５と、前記金具本体１１と前記延在片１５との間の境界線上に沿って切り起こされ、上下に突き合わせる前記内装材の上，下端面にそれぞれ食い込んで係止する少なくとも上下一対の係止爪１８ａ，１８ｂと、からなる内装材用取付金具１０。【選択図】図１
2006274672.tif 000002
【特許請求の範囲】
【請求項１】
固定具で壁下地に固定され、かつ、前記壁下地と内装材とで挟持される金具本体と、
前記金具本体の下端縁部から同一平面上に延在して形成され、かつ、前記壁下地と内装材とで挟持される少なくとも１つの延在片と、
前記金具本体と前記延在片との間の境界線上に沿って切り起こされ、上下に突き合わせる前記内装材の上，下端面にそれぞれ食い込んで係止する少なくとも上下一対の係止爪と、
からなることを特徴とする内装材用取付金具。
【請求項２】
固定具で壁下地に固定され、かつ、前記壁下地と内装材とで挟持される金具本体と、
前記金具本体の下端縁部から同一平面上に延在して形成され、かつ、前記壁下地と内装材とで挟持される少なくとも１つの延在片と、
前記金具本体と前記延在片との間の境界線上に沿って鉛直に切り起こされ、突き合わせる内装材の上，下端面に挟持される切り起こし片と、
前記切り起こし片の先端部から切り出され、かつ、前記金具本体と平行になるように折り曲げられ、前記内装材の上，下端面にそれぞれ食い込んで係止する少なくとも上下一対の係止爪と、
からなることを特徴とする内装材用取付金具。
【請求項３】
金具本体および延在片に、内装材の裏面に圧接する同一高さの圧接用段部をそれぞれ突設したことを特徴とする請求項１または２に記載の内装材用取付金具。
【請求項４】
金具本体に、内装材を外方に付勢する少なくとも１つの弾性舌片を、切り起こしたことを特徴とする請求項１ないし３のいずれか１項に記載の内装材用取付金具。
【請求項５】
係止爪に、接着剤を封入したマイクロカプセルからなるシール剤を、付着させたことを特徴とする請求項１ないし４のいずれか１項に記載の内装材用取付金具。
【発明の詳細な説明】
【技術分野】
【０００１】
本発明は内装材用取付金具、特に、内装材の上下端面を突き合わせて形成する内壁面に使用される内装材用取付金具に関する。
【背景技術】
【０００２】
従来、内装材の上下端面を突き合わせて形成する内壁面に使用される内装材用取付金具としては、例えば、壁下地材に柔軟性を有する壁用タイルを施工するに際し、両端に上下に突出した突片部を有し、前記下地材に固定されるアンカー部材を使用し、左右上下に隣接される前記壁用タイルの縁部に前記突片部を差し込み、前記壁用タイルを固定するアンカー部材がある（特許文献１参照）。
【特許文献１】特開平８−１３７４９号公報
【発明の開示】
【発明が解決しようとする課題】
【０００３】
しかしながら、前述のアンカー部材では、壁用タイルの巾狭の上下端面に前記突片部を差し込んで固定する必要があるので、前記アンカー部材の位置決めが容易でなく、施工性が低いだけでなく、位置ズレが生じやすく、組立精度が低い。このため、不陸が生じやすく、美麗な内壁面を形成しようとすると、熟練の作業者を必要とする。
また、下方側の前記壁用タイルの上端部を壁下地に直接固定すると、上方側に位置する別の壁用タイルの下端部が前記アンカー部材を介して前記壁下地に固定されるので、不陸が発生する。このため、前記アンカー部材を使用する場合に不陸を回避しようとすると、下方側の壁用タイルの上端部裏面にスペーサを配置する必要があり、施工性がより低くなるという問題点がある。
【０００４】
本発明は、前記問題点に鑑み、組立精度，施工性が高い内装材用取付金具を提供することを課題とする。
【課題を解決するための手段および発明の効果】
【０００５】
本発明にかかる内装材用取付金具は、前記課題を解決すべく、固定具で壁下地に固定され、かつ、前記壁下地と内装材とで挟持される金具本体と、前記金具本体の下端縁部から同一平面上に延在して形成され、かつ、前記壁下地と内装材とで挟持される少なくとも１つの延在片と、前記金具本体と前記延在片との間の境界線上に沿って切り起こされ、上下に突き合わせる前記内装材の上，下端面にそれぞれ食い込んで係止する少なくとも上下一対の係止爪と、からなる構成としてある。
【０００６】
本発明によれば、施工の際に延在片を内装材の裏面に当てることにより、係止爪を内装材の端面に機械的、かつ、正確に位置決めできるので、熟練を必要とせず、組立精度，施工性の高い内装材用取付金具が得られる。
また、金具本体および延在片がそれぞれ異なる内装材の裏面に圧接されるので、取付金具の板厚を原因とする不陸が発生せず、スペーサを配置する必要がなくなり、施工性がより一層高くなる。
【０００７】
本発明としては、固定具で壁下地に固定され、かつ、前記壁下地と内装材とで挟持される金具本体と、前記金具本体の下端縁部から同一平面上に延在して形成され、かつ、前記壁下地と内装材とで挟持される少なくとも１つの延在片と、前記金具本体と前記延在片との間の境界線上に沿って鉛直に切り起こされ、突き合わせる内装材の上，下端面に挟持される切り起こし片と、前記切り起こし片の先端部から切り出され、かつ、前記金具本体と平行になるように折り曲げられ、前記内装材の上，下端面にそれぞれ食い込んで係止する少なくとも上下一対の係止爪と、からなる構成としてもよい。
本発明によれば、切り起こし片の先端に係止爪を設けてあるので、前述の発明の効果に加え、前記係止爪が内装材の上，下端面に真っ直ぐ差し込みやすくなり、施工性が向上する。
【０００８】
本発明にかかる実施形態としては、金具本体および延在片に、内装材の裏面に圧接する同一高さの圧接用段部をそれぞれ突設しておいてもよい。
本実施形態によれば、圧接用段部を設けることにより、取付金具自体の強度が向上するとともに、前記圧接用段部が内装材の裏面に圧接するため、内装材のズレを防止できる。また、壁下地と内装材との対向面間距離を大きくでき、所望の空気層を形成できるため、壁層間内の結露を防止できる。特に、内装材が調湿機能を有する建材であれば、その効果は顕著なものとなる。
【０００９】
本発明にかかる他の実施形態としては、金具本体に、内装材を外方に付勢する少なくとも１つの弾性舌片を、切り起こしておいてもよい。
本実施形態によれば、弾性舌片が内装材を外方に付勢するので、内装材のガタツキの発生を防止する。特に、前記弾性舌片は内装材の裏面に係止されるので、内装材が天井方向に引き抜かれることを防止できる。
【００１０】
本発明にかかる別の実施形態としては、係止爪の先端に、接着剤を封入したマイクロカプセルからなるシール剤を付着させておいてもよい。
本実施形態によれば、前記係止爪を内装材の上，下端面に差し込むと、前記マイクロカプセルが破れて接着剤がにじみ出して固着し、より一層強固に内装材を固定できるという効果がある。
【発明を実施するための最良の形態】
【００１１】
本発明にかかる内装材用取付金具の実施形態を図１ないし図４の添付図面に従って説明する。
第１実施形態にかかる内装材用金具１０は、図１および図２に示すように、金具本体１１の中央部に圧接用段部１２を突き出し加工で形成してある。さらに、前記段部１２の中央に一対の凹部１３，１３を並設してある。前記凹部１３の底面には固定用貫通孔１４を設けてある。
【００１２】
また、前記金具本体１１は、その下端縁部の中央から延在片１５を同一平面上に延在するとともに、前記延在片１５には圧接用段部１６を突き出し加工で形成してある。なお、前記圧接用段部１６は、前記金具本体１１の圧接用段部１２と同一高さ寸法を有し、面一となっている。さらに、延在片１５の両側には切り起こし片１７，１７をそれぞれ設けてある。そして、前記切り起こし片１７，１７の先端からそれぞれ切り出した一対の二等辺三角形状の係止爪１８ａ，１８ｂは、前記金具本体１１と平行になるように上下方向にそれぞれ折り曲げられている。
【００１３】
前記取付金具１０を介して施工される内装材２３（図２）としては、特に限定するものではないが、例えば、火山性ガラス質複層板、ロックウール板、インシュレーションボード、ＭＤＦ、パーティクルボード等が挙げられる。なお、前記取付金具１０の係止爪１８ａ，１８ｂが差し込まれる層の比重は１．０以下であることが好ましい。比重が１．０以上であると、係止爪１８ａ，１８ｂを差し込むために大きな力が必要である。このため、金槌等の工具を必要とし、施工に手間がかかるとともに、施工の際に内装材２１，２３の端面あるいは／および取付金具１０の係止爪１８ａ，１８ｂが破損するおそれがあるからである。
【００１４】
また、内装材２１，２３が、例えば、三層構造を有する場合には、係止爪１８ａ，１８ｂが差し込まれる中間層の比重よりも表裏層の比重の方がより高いことが好ましい。前記中間層に係止爪１８ａ，１８ｂを差し込んだ場合に、前記表裏層が破損しにくく、表裏層に割れや膨れが生じにくいからである。
【００１５】
前記取付金具１０の施工方法としては、図２に示すように、内壁下地２０に最下方側に位置する内装材２１を位置決めした後、前記内壁下地２０と前記内装材２１との間に延在片１５を挿入し、前記内装材２１の上端面に係止爪１８ａを食い込ませる。ついで、金具本体１０に設けた貫通孔１４から壁下地２０に釘２２を打ち付けて固定する。本実施形態では、前記貫通孔１４が前記凹部１３の底面に形成されているので、釘２２の釘頭が内装材２３の裏面に当たることがない。そして、係止爪１８ｂに他の内装材２３の下端面を食い込ませて位置決めする。以下、同様の手順を繰り返し、壁下地２０に内装材２１，２３を施工して内壁面を形成する。
【００１６】
なお、本実施形態にかかる取付金具１０は、図２Ａに示すように、上下方向に施工する内装材２１，２３の間に配置する場合に限らず、例えば、内装材２３，２３の隅部に配置するようにしてもよい。
【００１７】
第２実施形態は、図３に示すように、金具本体１０に突設した圧接用段部１２のうち、一対の凹部１３，１３の両側に弾性舌片１９，１９を切り起こした場合である。他は前述の第１実施形態とほぼ同様であるので、同一部分に同一番号を附して説明を省略する。
【００１８】
本実施形態によれば、前記弾性舌片１９が内装材２３の背面を外方に付勢するので、内装材２３のガタツキを確実に防止でき、施工性を向上させることができるとともに、内装材が天井方向に引き抜かれることを防止できる。
【００１９】
第３実施形態は、図４に示すように、第１実施形態とほぼ同様であり、異なる点は係止爪１８ａ，１８ｂの先端にシール剤２４を付着させた場合である。前記シール剤２４は、接着剤を封入した膜の表面が粘着性を有するマイクロカプセルの集合体であり、マイクロカプセルの粒径は２０〜７０μｍである。前記接着剤としては、例えば、エポキシ系樹脂、アクリル系樹脂、ゴム系樹脂等が挙げられる。また、前記シール剤の具体例としては、例えば、住友スリーエムのスコッチ・グリップ２３５３，２５１０が挙げられる。他は前述の第１実施形態とほぼ同様であるので、同一部分に同一番号を附して説明を省略する。
【００２０】
本実施形態によれば、前記係止爪１８ａ，１８ｂが内装材２１，２３の上下端面に食い込むと、前記シール剤２４が破れ、接着剤がにじみ出して固着することにより、ガタツキの発生を防止し、長期間、美麗な内壁面を維持できるという利点がある。
【００２１】
本発明にかかる他の実施形態として、金具本体に設ける段部は必ずしも１つである必要はなく、例えば、同一高さを有する２つの圧接用段部を並設してもよい。また、前記圧接用段部に設ける弾性舌片は必ずしも一対である必要はなく、少なくとも１つ設けてあればよい。さらに、複数の弾性舌片を設ける場合には、単に並設するだけでなく、例えば、千鳥状に配置してもよい。また、前記弾性舌片が内装材の裏面を押圧しつつ、係止することにより、前記内装材が天井方向に引き抜かれることを防止するという目的に沿うならば、特に、前記弾性舌片の形状は問わない。
【００２２】
また、前記延在片は下側縁部の中央から延在する場合に限らず、下側縁部の片側だけから延在させてもよく、あるいは、下側縁部の両端からそれぞれ延在してもよい。さらに、前記延在片は、金具本体よりも必ずしも巾狭く形成する必要はなく、巾広であってよい。
【００２３】
前記係止爪は、金具本体の下端縁部に直接形成してもよい。また、前記切り起こし片の先端に係止爪を設ける場合には、延在片の左右両側縁部にそれぞれ一対ずつ設ける場合に限らず、少なくとも上下一対の係止爪を設けておけばよい。さらに、複数の係止爪を設ける場合に、全て同一寸法である必要はなく、異なる大きさであってもよい。そして、前記係止爪は、必ずしも一対である必要はなく、複数対であってもよく、上下方向に折り曲げる係止爪の本数は必要に応じて適宜選択できる。
【００２４】
なお、前述の実施形態では、壁下地に内装材を施工する場合を説明したが、構造駆体（柱、間柱、胴縁等）からなる壁下地に内装材を施工するようにしてもよい。
【産業上の利用可能性】
【００２５】
本発明にかかる内装材用取付金具は、前述の実施形態に限らず、他の内壁面を構成する仕上げ材に適用してもよい。
【図面の簡単な説明】
【００２６】
【図１】図１Ａ，１Ｂおよび１Ｃは本発明にかかる内装材用取付金具の第１実施形態を示す斜視図、正面図および右側面図である。
【図２】図２Ａ，２Ｂは図１で示した内装材用取付金具の施工状態を示す部分正面図および拡大縦断面図である。
【図３】図３Ａ，３Ｂおよび３Ｃは本発明にかかる内装材用取付金具の第２実施形態を示す斜視図、正面図および右側面図である。
【図４】図４Ａ，４Ｂおよび４Ｃは本発明にかかる内装材用取付金具の第３実施形態を示す斜視図、正面図および右側面図である。
【符号の説明】
【００２７】
１０：取付金具
１１：金具本体
１２：圧接用段部
１３：凹部
１４：貫通孔
１５：延在片
１６：圧接用段部
１７：切り起こし片
１８ａ，１８ｂ：係止爪
１９：弾性舌片
２０：内壁下地
２１，２３：内装材
２２：釘
２４：シール剤
【図１】
2006274672.tif 000003
【図２】
2006274672.tif 000004
【図３】
2006274672.tif 000005
【図４】
2006274672.tif 000006